(57)【要約】【課題】仕切領域に配設した配管或いは配線を緑化エリア内に容易に導入することができると共に、２次加工が不要で安価な部材を仕切構造に用いることが可能な緑化設備の仕切構造を提供する。【解決手段】緑化エリアと非緑化エリアとを仕切る緑化設備の仕切構造であって、複数の下地体１０を緑化エリアの外周縁に近接し且つ緑化エリアの外周方向へ離間して列設し、離間して配置した下地体１０に下地体１０の上側及び外側を略被覆するカバー３０を架橋載置し、下地体１０の設置箇所に、下地体１０とカバー３０とで上側と外側が囲まれ且つ緑化エリアの略外周方向に開放されている空間５４を設け、給水管５３を空間５４を通して設置し、下地体１０・１０間の離間箇所から緑化エリア内へ給水管５３を導入する。【選択図】図７
2007151445.tif 000002
【特許請求の範囲】
【請求項１】
緑化エリアと非緑化エリアとを仕切る緑化設備の仕切構造であって、
複数の下地体を緑化エリアの外周方向へ離間して列設し、
離間して配置した下地体に下地体の上側及び外側を略被覆するカバーを架橋載置し、
下地体の設置箇所に、下地体とカバーとで若しくは下地体で若しくはカバーで上側と外側が囲まれ且つ緑化エリアの略外周方向に開放されている空間を設けることを特徴とする緑化設備の仕切構造。
【請求項２】
緑化エリアと非緑化エリアとを仕切る緑化設備の仕切構造であって、
複数の下地体を緑化エリアの外周方向へ離間して列設することにより内周の下地体群を設け、
該内周下地体群の下地体の外側に下地体を並列配置して一若しくは複数の下地体群を設け、
外周の下地体群の離間して配置した下地体に下地体の上側及び外側を略被覆する第１カバーを架橋載置し、
該外周下地体群より内側の下地体群の離間して配置した下地体に下地体の上側を略被覆する第２カバーを架橋載置し、
下地体の設置箇所に、下地体とカバーとで若しくは下地体で若しくはカバーで上側と外側が囲まれ且つ緑化エリアの略外周方向に開放されている空間を設けることを特徴とする緑化設備の仕切構造。
【請求項３】
配管若しくは配線を適宜の空間を通して設置し、配管若しくは配線を下地体間の離間箇所から緑化エリア内へ導入することを特徴とする緑化設備の仕切構造。
【請求項４】
前記第１カバーと前記第２カバー若しくは前記第２カバー同士を並列方向で連結する連結部を設けることを特徴とする請求項２又は３記載の緑化設備の仕切構造。
【請求項５】
前記下地体相互を並列方向で連結する連結部を設けることを特徴とする請求項２〜４の何れかに記載の緑化設備の仕切構造。
【請求項６】
請求項４記載の連結部若しくは請求項５記載の連結部が係合部と被係合部で構成される係合構造であることを特徴とする緑化設備の仕切構造。
【請求項７】
前記架橋載置した請求項１記載のカバー若しくは請求項２〜６の何れかに記載の第１カバーの外側被覆部と敷設面との間に隙間を形成することを特徴とする緑化設備の仕切構造。
【請求項８】
前記外周方向へ離間配置する下地体相互を外周方向で連結することを特徴とする請求項１〜７の何れかに記載の緑化設備の仕切構造。
【発明の詳細な説明】
【技術分野】
【０００１】
本発明は、例えば建物の屋上やベランダなど人工地盤等に形成される緑化設備に係り、特に緑化エリアと非緑化エリアとを仕切る緑化設備の仕切構造に関する。
【背景技術】
【０００２】
従来、都市部の自然不足を補う緑化対策として、例えばビルの屋上、ベランダ、テラス、イベント会場等に人工的に緑化設備を形成することが行われており、更に、緑化設備の緑化エリアと非緑化エリアとを仕切る仕切構造が知られている。斯様な緑化設備の仕切構造を開示している先行技術文献に特許文献１〜４がある。
【０００３】
特許文献１には、屋上面等の一部に植物が植えられたプランタを載置して緑化エリアを形成し、プランタを載置していない非緑化エリアとの境界にプランタよりも高い仕切部を設けることが開示され、更に、前記仕切部を、複数の仕切部ピースを端面同士を接合することにより連接して構成することが開示されている。
【０００４】
特許文献２には、屋上面等に設ける土壌に植栽して緑化エリアを形成し、緑化エリアと非緑化エリアの仕切構造として、左右に張り出す縁部を有するハット形状の延長仕切部材と、延長仕切部材と同一断面形状の端部を有する隅仕切部材とを、一枚の接合片をそれぞれの内壁にリベットで留めて連結する構造を設けることが開示され、更に、延長仕切部材の一部下縁を切り欠いて排水口を設置する構成が開示されている。
【０００５】
特許文献３には、鉤状の外枠を他の植物容器の外枠に掛止して互いに連結可能であり且つ底部に排水口が形成された植栽容器に土壌や植物を収納して緑化エリアを形成し、植栽容器内の植物に散水する散水ホースを植栽容器の外枠に取り付け、外形が縁石の形状をした縁石ユニットで植栽容器の外枠を被覆する仕切構造が開示され、更に、散水ホースに複数の散水孔を形成し、これらの散水孔に対向する位置にある植栽容器の外枠に貫通孔を形成し、散水孔から放出する水を貫通孔を通過させて植栽容器内の植物に散水することが開示されている。
【０００６】
特許文献４には、屋上面等に排水通気マット、植生マットを敷いて芝等を植栽することにより緑化エリアを形成し、相互に嵌り合う断面上向コ字状のベースと断面下向コ字状のカバーとから成りカバーの嵌合度合で高さを調整可能な仕切部材（フレーム）を、緑化エリアの周縁に沿って設ける仕切構造が開示され、更に、仕切部材（フレーム）内に配水管を配設し、配水管から植栽マット中の多孔質給水管及び植栽マットに給水する構成が開示されている。
【０００７】
【特許文献１】特開平１０−８４７７４号公報
【特許文献２】特開平１０−３１号公報
【特許文献３】特開２０００−６０３１１号公報
【特許文献４】特開平８−２７５６８５号公報
【発明の開示】
【発明が解決しようとする課題】
【０００８】
ところで、特許文献４の如く、緑化エリアの外周縁に沿って仕切部材を設け、仕切部材内に配管を配設し、その配管を分岐等により緑化エリア内に引き込む場合、引き込み箇所に於いて仕切部材に引込用の孔や凹部を形成することが必要となる。しかしながら、斯様な孔や凹部を仕切部材に形成するには例えば押出成形で形成する事に加えて切削等の２次加工が必要となるため、仕切部材や緑化設備が高コスト化するという問題がある。更に、緑化エリア内に照明器具等を設置する場合に、緑化エリア内に配線を導入する際にも同様の問題を生ずる。
【０００９】
本発明は上記課題に鑑み提案するものであって、仕切領域に配設した配管或いは配線を緑化エリア内に容易に導入することができると共に、例えば押出成形のみで形成した部材等、２次加工が不要で安価な部材を仕切構造に用いることが可能であり、緑化設備を低コスト化することができる緑化設備の仕切構造を提供することを目的とする。
【課題を解決するための手段】
【００１０】
本発明の緑化設備の仕切構造は、緑化エリアと非緑化エリアとを仕切る緑化設備の仕切構造であって、複数の下地体を緑化エリアの外周方向へ離間して列設し、離間して配置した下地体に下地体の上側及び外側を略被覆するカバーを架橋載置し、下地体の設置箇所に、下地体とカバーとで若しくは下地体で若しくはカバーで上側と外側が囲まれ且つ緑化エリアの略外周方向に開放されている空間を設けることを特徴とする。例えば複数の下地体を敷設面に略等間隔や特定のパターンの間隔など所定間隔を開け、緑化エリアの外周縁に近接して一列で配置する。
【００１１】
また、本発明の緑化設備の仕切構造は、緑化エリアと非緑化エリアとを仕切る緑化設備の仕切構造であって、複数の下地体を緑化エリアの外周方向へ離間して列設することにより内周の下地体群を設け、該内周下地体群の下地体の外側に下地体を並列配置して一若しくは複数の下地体群を設け、外周の下地体群の離間して配置した下地体に下地体の上側及び外側を略被覆する第１カバーを架橋載置し、該外周下地体群より内側の下地体群の離間して配置した下地体に下地体の上側を略被覆する第２カバーを架橋載置し、下地体の設置箇所に、下地体とカバーとで若しくは下地体で若しくはカバーで上側と外側が囲まれ且つ緑化エリアの略外周方向に開放されている空間を設けることを特徴とする。例えば複数の下地体を敷設面に略等間隔や特定のパターンの間隔など所定間隔を開け、緑化エリアの外周縁に近接して一列で配置し、且つ複数の下地体を並列配置して複数列の下地体群を設け、非緑化エリアに接する下地体群の下地体の少なくとも上側および外側を覆う第１カバーを設置し、非緑化エリアに接しない下地体群の下地体の少なくとも上側を覆う第２カバーを設置する。
【００１２】
また、本発明の緑化設備の仕切構造は、配管若しくは配線を適宜の空間を通して設置し、配管若しくは配線を下地体間の離間箇所から緑化エリア内へ導入することを特徴とする。即ち、先端や分岐管・分岐線等が緑化エリアに導入される管材若しくは線材が上記空間の内部に配設可能である。尚、下地体は、管材若しくは線材を載置する中板等の載置部を有する形状とすると、例えば緑化エリアに給水を行き渡らせるために給水管の設置高さを高くするなど管材や線材の設置高さを調整できて良好であるが、載置部を有せずに例えば管材若しくは線材が敷設面に敷設されるようになる形状とすることも可能である。
【００１３】
また、本発明の緑化設備の仕切構造は、前記第１カバーと前記第２カバー若しくは前記第２カバー同士を並列方向で連結する連結部を設けることを特徴とする。
また、本発明の緑化設備の仕切構造は、前記下地体相互を並列方向で連結する連結部を設けることを特徴とする。
また、本発明の緑化設備の仕切構造は、第１カバーと第２カバー若しくは第２カバー同士を並列方向で連結する連結部、若しくは下地体相互を並列方向で連結する連結部が係合部と被係合部で構成される係合構造であることを特徴とする。前記係合構造は、例えば鉤状の係合部と鉤状の被係合部を係合する構造や、或いは突起状の係合部を被係合穴に係合する構造等とすることが可能である。
また、本発明の緑化設備の仕切構造は、上記カバー若しくは上記第１カバーの外側被覆部と敷設面との間に隙間を形成することを特徴とする。例えば上記カバー若しくは第１カバーを、少なくとも下地体の上側を覆う上板等の上側被覆部と下地体の外側を覆う側板等の外側被覆部で構成し、カバー若しくは第１カバーを設置した際に、外側被覆部の下端と敷設面との間に隙間が形成されるようにする。
また、本発明の緑化設備の仕切構造は、外周方向へ離間配置する下地体相互を外周方向で連結することを特徴とする。例えば下地体の底板若しくは外側板若しくは上板を外周方向の一方へ延設して先端に係合部を設け、下地体の底板若しくは外側板若しくは上板を外周方向の他方へ延設して先端に被係合部を設け、外周方向で離間して隣り合う下地体相互に於いて、一の下地体の前記係合部と他の下地体の前記被係合部を係合して連結する構成や、或いは前記底板若しくは外側板若しくは上板を延設する構成に代え、先端に係合部を有する幅狭薄板状の係合片を外周方向の一方へ底板等から延設し、先端に被係合部を有する幅狭薄板状の被係合片を外周方向の他方に底板等から延設し、前記係合片の係合部と被係合片の被係合部を係合して連結する構成や、或いは下地体の底板若しくは外側板若しくは上板を外周方向へ延設して外周方向で離間して隣り合う下地体相互が連結されている一体的な下地部材とする構成や、或いは前記底板若しくは外側板若しくは上板を延設する構成に代え、幅狭薄板状の連結片を外周方向へ延設して外周方向で離間して隣り合う下地体相互が連結されている一体的な下地部材とする構成等とすることが可能である。前記係合連結する場合の構造は、例えば上記連結部の係合構造と同様の構成を適宜用いることが可能である。
尚、本願の発明には、各発明や実施例の部分的な構成を他の構成に変更し、或いは各発明や実施例の構成に他の構成を付加し、或いは各発明や実施例の部分的な構成を部分的な作用効果が得られる限度で削除して上位概念化したものも含まれる。例えば複数の下地体を緑化エリアの外周方向へ離間して列設し、離間して配置した下地体に下地体の上側及び外側を略被覆するカバーを架橋設置し、カバー若しくは第１カバーの外側被覆部と敷設面との間に隙間を形成し、前記隙間を排水路とする仕切構造等とすることが可能である。
【発明の効果】
【００１４】
本発明の緑化設備の仕切構造は、緑化エリアの略外周方向へ開放されている空間など仕切領域に配管或いは配線を配設することが可能であり、配設した配管或いは配線を下地体の離間箇所から緑化エリア内に容易に導入することができる。また、下地体の離間箇所から配管或いは配線を緑化エリア内に引き込むことができるので、配管或いは配線の導入穴や導入するための凹部等を仕切構造に用いる部材に形成する必要が無く、例えば押出成形のみで形成した部材等、２次加工が不要で安価な部材を仕切構造に用いることが可能であり、仕切構造に用いる部材の低コスト化、緑化設備の低コスト化を図ることができると共に、仕切構造や緑化エリア内への配管或いは配線導入等の施工を容易にすることができる。また、離間配置した下地体の上側及び外側をカバーで略被覆することにより、仕切領域や緑化設備の美観を向上することができる。
また、下地体を並列配置して複数の下地体群を設けることにより、複数系統の配管或いは配線の敷設することができると共に、配管或いは配線を敷設する場合の経路の自由度を高めることができる。更に、例えば内周に位置する下地体群に配管を施し、外周に位置する下地体群に配線を施す等、配管と配線を分けて配設することが可能となり、多様な状況への適応力やメンテナンス等の容易性を高めることができる。
また、第１カバーと第２カバー若しくは第２カバー同士を並列方向に連結部で連結することにより、仕切構造の位置決めが容易になると共に、例えば内周に位置するカバーと外周に位置するカバーのみをビス止め等で下地体に固着し、内周と外周に挟まれて位置するカバーのビス止め等による下地体への固着を省くことができ、施工性が向上する。特に、前記連結部を係合構造とすると、位置決めの容易性や施工性が一層高められる。
また、下地体相互を並列方向に連結部で連結することにより、仕切構造の位置決めが容易になると共に、例えば下地体を敷設面に接着して敷設する場合に、内周と外周に位置する下地体のみを敷設面に接着するなど、全ての下地体を敷設面に接着せずに下地体を敷設することが可能となり、施工性が向上する。特に、前記連結部を係合構造とすると、位置決めの容易性や施工性が一層高められる。
また、下地体相互に離間箇所を設け、カバーの外側被覆部と敷設面との間に隙間を形成することにより、緑化エリア内の余剰水を離間箇所及び隙間を介して緑化設備の外側へ排水することが可能となり、簡単な構造で優れた排水機能を得ることができる。
また、外周方向へ離間配置する下地体相互を外周方向で連結することにより、下地体相互の位置決めが容易となり、施工性を向上することができる。更に、下地体相互を一体的に連結することにより、部材点数を削除することができると共に、施工性を一層向上することができる。
【発明を実施するための最良の形態】
【００１５】
本発明の緑化設備の仕切構造について図に示す具体的な実施例に基づき説明するが、本発明は以下の実施例に限定されるものではない。
【実施例１】
【００１６】
先ず、第１実施例の緑化設備の仕切構造について説明する（図１〜図６参照）。
【００１７】
前提として第１実施例の仕切構造が設けられる緑化エリアは、図１、図４、図５に示すように、底板１０１と側壁１０２を有する上面開放の略方形箱形である植栽コンテナ１００を敷設面３００に縦横に複数並設し、各植栽コンテナ１００内に育成材１０４を充填し、育成材１０４上に切芝や植物１０６が土壌に植栽された植栽マット１０５を載置して構成される。植栽コンテナ１００は、樹脂等で形成され、底板１０１から下方に突出して平面視Ｌ字形や平面視Ｉ字形の支持脚１０３が複数設けられており、底板１０１と敷設面３００との間に空気の流通や排水を担う空間１０７が形成される。植栽コンテナ１００の底板１０１の適宜箇所には、複数の通水兼通気孔が穿設されており、植栽コンテナ１００内の余剰水が前記通水兼通気孔から排水され、敷設面３００上の空間１０７を通って緑化エリア外に排水されると共に、空間１０７の空気が通水兼通気孔から植栽コンテナ１００内に入り込み、育成材１０４や植物１０６に新鮮な空気を供給して根腐れ等を防止可能になっている。
【００１８】
尚、育成材１０４には適宜の育成材を用いることが可能であるが、屋上或いはベランダ等に緑化設備を設ける場合には軽量な育成材を用いると、荷重を従来の客土の約１／３等として敷設面や建築物への荷重付加を軽減することができるので好適であり、例えばパーライト、バーミキュライト、ピートモス、バーク堆肥、チャフコン、木質腐朽有機物、ゼオライト等、又は建築廃材、又は下水若しくは浄水の汚泥等、又は椰子繊維等を用いるとよい。また、前記列挙の育成材の数種類を、植栽の種類、環境に応じて、又良好な保水性や排水性を得るべく、バランスよく配合した軽量育成材、更に、前記育成材を配合したものに、必要に応じて根腐れ防止用の珪酸塩白土等を加えた軽量育成材等としてもよい。前記通気性良好な軽量育成材を育成材１０４として用いることにより、植物１０６の根が傷むことを防止することが可能である。
【００１９】
第１実施例の緑化設備の仕切構造或いは仕切部材は、図１〜図６に示すように、正面視略コ字形の短尺のチャンネル部材である下地体１０と、下地体１０の長さよりも長尺で、下地体１０の上側と外側を略被覆する正面視略Ｌ字形のカバー３０とで構成される。
【００２０】
第１実施例の下地体１０は、図２に示すように、敷設面３００と接する底板１１と、緑化エリアの土壌面或いは植栽面等の上面より若干高く、底板１１の両側端縁から上方へ立設する側板１２とを有し、両側の側板１２の略上部には内方へ凹んでいる段差部１３がそれぞれ形成され、更に、固定片１４が各側板１２の略上端から内方へ屈曲してそれぞれ延設されている。下地体１０は、平面視・正面視・側面視・底面視など各方向に於いて左右線対称で、設置方向の限定を極力排除した形状となっており、例えば樹脂、鋼板、アルミ、ステンレス等の所要強度が得られる適宜の素材を用い、押出成形或いは折曲加工等で形成される。
【００２１】
第１実施例のカバー３０は、図３に示すように、下地体１０或いはその底板１１の幅より僅かに幅広で、下地体１０の上側を覆う上側被覆部となる細長板状の上板３１と、上板３１の一方の側端縁から下方へ屈曲して延設され、下地体１０の外側を覆う外側被覆部となる側板３２と、上板３１の他方の側端縁から下方へ屈曲して垂設されている垂下片３３とを有する。側板３２の上下方向の長さは、下地体１０の側板１２の上下方向の長さより若干短くなっており、垂下片３３の上下方向の長さは、下地体１０の側板１２の上端から段差部１３の屈曲箇所までの長さと略同一となっている。更に、上板３１の両側近傍には、長手方向へ溝３４がそれぞれ形成されており、後述するカバー３０と下地体１０のビス止め時にビス５１の頭が溝３４に入り込むようになっている。カバー３０は、例えば樹脂、鋼板、アルミ、ステンレス等の所要強度が得られる適宜の素材を用い、押出成形或いは折曲加工等で形成される。
【００２２】
上記仕切構造或いは仕切部材を緑化エリアに設ける場合、図４に示すように、下地体１０の長手方向を緑化エリアの外周方向に合わせ、且つ固定片１４を上にして、複数の下地体１０を緑化エリアの外周に沿って略等間隔など所定間隔離間して一列に列設する。尚、前記下地体１０・１０相互間の離間箇所は、配管或いは配線を配設する場合には、植栽コンテナ１００・１００の隣接箇所に対応するようにすると好適であるが、配管や配線の緑化エリアへの引き込み箇所に前記離間箇所が存在すればこれに限定されない。また、列設した下地体１０は下地体１０を敷設面３００に接着剤やアンカー等で固定すると好適である。
その後、図５に示すように、列設した下地体１０の内の複数の下地体１０にカバー３０を架橋載置して、列設した下地体１０全体を覆うようにカバー３０を設ける。前記架橋載置は、カバー３０の上板３１を固定片１４に載置し、カバー側板３２の内面を下地体側板１２の外面に沿わせて面接触させ、カバー３０の垂下片３３を段差部１３に入り込ませて係合することにより行い、カバー上板３１の溝３４の適宜箇所でビス５１によるカバー上板３１と固定片１４のビス止めを施し、ビス５１の頭を溝３４に収容する（図１参照）。
下地体１０にカバー３０を架橋載置した状態では、正面視略ロ字形の仕切構造或いは仕切部材が構成され、下地体１０の上側がカバー上板３１で覆われ、下地体１０の外側がカバー側板３２で覆われ、下地体１０の内側上部や下地体１０・１０相互の離間箇所で緑化エリアの土壌面或いは植栽面等の上面より高い部分はカバー３０の垂下片３３で覆われると共に、カバー３０の側板３２の下端が敷設面３００から所定距離上方に位置し、側板３２の下端と敷設面３００との間に隙間が形成され、下地体１０・１０の離間箇所の隙間５２が排水路として機能する。その後は、後述の如く必要に応じて出隅や入隅を処理して仕切構造を完成する（図１９、図２０参照）。
尚、本実施例では、列設している３個の下地体１０の両側の下地体１０の半分の長さに、カバー３０の両側がそれぞれ載置されるように架橋されているが、２個以上の適宜複数個の下地体１０にカバー３０を載置することが可能である。また、カバー３０と下地体１０の固定はビス止め以外の接着剤等による固定で行ってもよく、例えばカバー上板３１と固定片１４の適宜箇所を接着剤で固定すること等が可能である。また、図５の左右両側に位置する下地体１０の一部がカバー３０で覆われていないが、実際は列設される全ての下地体１０がカバー３０で覆われるようになっており、以下の実施例でも同様である。また、垂下片３３の上下方向の長さは適宜の長さとすることが可能であるが、好適には上記の如く緑化エリアの上面より高い部分を被覆可能な長さ以上とするとよく、より好ましくは垂下片３３の長さを下地体１０の中央或いは下部に届く長さとする等、ある程度長めにすると、緑化エリア上面の高さが低い場合など緑化エリアの高さに拘わらず、前記上面より高い部分の仕切構造を被覆することが可能となって良好である。
上記第１実施例の仕切構造は、必要に応じて正面視略ロ字形の内部に配管や配線を適宜敷設し、更に、敷設した配管や配線を下地体１０・１０相互間の離間箇所から適宜緑化エリア内に容易に導入することができる。また、下地体１０・１０の離間箇所に排水路として隙間５２が形成されるので、下地体１０やカバー３０など仕切構造を構成する部材に排水路用の穴や凹部等を開ける加工工程を不要にすることができる。更に、複雑な成形や加工を要しない部材で構成することができることから、コスト削減を図ることができる。また、カバー３０の垂下片３３が、下地体１０の内側上部や下地体１０・１０相互の離間箇所で緑化エリアの土壌面或いは植栽面等の上面より高い部分を被覆し、緑化エリア側から仕切構造を視た場合に前記部分を隠すことができるので、仕切構造や緑化設備の美観を高めることができる。また、下地体１０を緑化エリアの外周に沿って適当な間隔で配置し、カバー３０で被覆することで仕切構造を構成することができ、下地体１０を仕切領域の全体に亘って設ける必要がないことから、コスト削減を図ることができると共に、高い施工性を有する。また、排水路となる隙間５２を形成するピッチや場所を施工現場の状況に合わせて自在に調整することや、敷設面３００の仕切領域に大きな凹凸が存在する場合に凹凸箇所を避けて下地体１０を敷設すること等が可能であり、設置の自由度を非常に高く、優れた施工性を有する。
【実施例２】
【００２３】
次に、第２実施例の緑化設備の仕切構造について、第１実施例と異なる箇所の詳細を説明する（図７〜図１２参照）。
前提として第２実施例の仕切構造が設けられる緑化エリアは、図７及び図１０〜図１２に示すように、底板２０１と側壁２０２を有する上面開放の略方形箱形である貯水槽トレー２００上に、底板１０１と側壁１０２を有する上面開放の略方形箱形である植栽コンテナ１００を載置して緑化ユニットを構成し、前記緑化ユニットを敷設面３００に縦横に複数並設し、各植栽コンテナ１００内に育成材１０４を充填し、育成材１０４上に切芝や植物１０６が土壌に植栽された植栽マット１０５を載置して構成される。
植栽コンテナ１００の底板１０１には、平面視Ｌ字形や平面視Ｉ字形の支持脚１０３が下方に突出して複数設けられていると共に、截頭円錐形の下向凸部１０８が下方に突出して複数設けられ、下向凸部１０８の下端面には吸水口１０９が穿設されている。貯水槽トレー２００内に貯水された水分は、吸水口１０９から下向凸部１０８及び植栽コンテナ１００内に充填されている育成材１０４の毛細管現象によって吸水され、植物１０６の根に供給される。更に、植栽コンテナ１００の側壁１０２の略中間の高さから下部にかけて内向へこみ部１１０が形成されており、植栽コンテナ１００・１００の側壁１０２・１０２の上部相互を隣接した際に、前記隣接箇所の下方において、内向きへこみ部１１０・１１０相互間に空間が形成され、前記空間に例えば仕切構造から緑化エリア内に導入される給水管等を後述する貯水槽トレー２００の側壁２０２上端で支持させて配設することが可能である。
また、貯水槽トレー２００の側壁２０２は支持脚１０３より若干高く形成されていると共に、その上端には断面視鉤形の連係部２０３が形成されている。貯水槽トレー２００の一方の隣り合う２辺の側壁２０２・２０２に形成された連係部２０３は、他方の隣り合う２辺の側壁２０２・２０２に形成された連係部２０３よりも若干大きく且つ上方位置に形成され、隣接する貯水槽トレー２００・２００に於いて、一方の貯水槽トレー２００の若干大きく且つ上方位置に形成された連係部２０３を他方の貯水槽トレー２００の若干小さく且つ下方位置に形成された連係部２０３に被せて係合し、隣接する貯水槽トレー２００・２００相互を連係可能である。尚、例えば支持脚１０３の下端に凹部を形成し、貯水槽トレー２００の底板２０１の上面に凸部を形成し、前記凹部と凸部を嵌合する等、植栽コンテナ１００と貯水槽トレー２００との間に嵌合若しくは係合構造を形成し、植栽コンテナ１００を貯水槽トレー２００に対して固定又は位置決め可能にすると好適である。
第２実施例の緑化設備の仕切構造或いは仕切部材は、図７〜図１２に示すように、正面視略コ字形の短尺のチャンネル部材である下地体１０と、下地体１０の長さよりも長尺で、下地体１０の上側と外側を略被覆する正面視略Ｌ字形のカバー３０とで構成され、第１実施例と類似する。
第２実施例の下地体１０は、図８に示すように、第１実施例と同様に、底板１１、側板１２、段差部１３、固定片１４を有するものであるが、底板１１より若干上方位置に給水管等が載置される載置部となる中板１５が側板１２・１２間に架設され、底板１１と中板１５間に２つの板状の補強リブ１６が離間して架橋形成され、底板１１と中板１５と補強リブ１６、或いは底板１１と中板１５と補強リブ１６と側板１２とに囲まれる中空部１７が３つ設けられている。また、底板１１の長手方向には複数条の溝１８が形成され、側壁１２の段差部１３の上端にはカバー３０の位置決め用の凸条１９が固定片１４より上方へ突出して形成されている。その他の構成は第１実施例の下地体１０と同様である。
第２実施例のカバー３０は、図９に示すように、第１実施例と同様に、上板３１、側板３２、垂下片３３を有するものであるが、上板３１の上面には溝３４・３４の間に５条の溝３５が長手方向へ形成され、上板３１の下面の両側には長手方向へ凹溝３６・３６が形成されている。前記凹溝３６・３６は下地体１０の凸条１９・１９と対応する位置に形成され、カバー３０を下地体１０に架橋設置した際に、凸条１９・１９がそれぞれ凹溝３６・３６に係合するようになっている。また、上板３１の略中央の僅かに下方位置には補強板３７が設けられ、上板３１と補強板３７との間に補強リブ３８が離間して架橋形成され、上板３１と補強板３７と補強リブ３８とに囲まれる中空部３９が３つ設けられている。その他の構成は第１実施例のカバー３０と同様である。
【００２４】
上記仕切構造或いは仕切部材を緑化エリアに設ける場合、図１０に示すように、下地体１０の長手方向を緑化エリアの外周方向に合わせ、且つ固定片１４を上にして、複数の下地体１０を緑化エリアの外周に沿って略等間隔など所定間隔離間して一列に列設し、必要に応じて下地体１０を敷設面３００に接着剤等で固定する。前記下地体１０を列設する際には、後述する給水管５３を緑化エリア内に導入するのに良い箇所、例えば本実施例の植栽コンテナ１００・１００の側壁１０２・１０２が当接して内向きへこみ部１１０・１１０相互間に空間が形成されている箇所に、下地体１０・１０相互間の離間箇所が対応するように配置する。
【００２５】
その後、図１１に示すように、上方が開放している下地体１０内の中板１５上に給水管５３を配設し、下地体１０内の給水管５３から分岐して下地体１０・１０相互間の離間箇所で給水管５３を緑化エリア内に導入する。緑化エリア内に導入される給水管５３は、隣り合う植栽コンテナ１００・１００の内向きへこみ部１１０・１１０相互間の空間に配設され、例えば多孔質管等の給水管５３で緑化エリア内の貯水槽トレー２００に給水可能となる。
その後、図１２に示すように、列設した下地体１０の内の複数の下地体１０にカバー３０を架橋載置して、列設した下地体１０全体を覆うようにカバー３０を設ける。前記架橋載置は、補強板３７による補強構造が設けられていない領域に固定片１４を係合し且つ凹溝３６・３６に凸条１９・１９を係合して位置決めすることにより、カバー上板３１を固定片１４に載置し、カバー側板３２の内面を下地体側板１２の外面に沿わせて面接触させ、カバー３０の垂下片３３を内側に位置する段差部１３に入り込ませて係合することにより行い、カバー上板３１の溝３４の適宜箇所でビス５１によるカバー上板３１と固定片１４のビス止めを施し、ビス５１の頭を溝３４に収容する（図７参照）。
下地体１０にカバー３０を架橋載置した状態では、正面視略ロ字形の仕切構造或いは仕切部材が構成され、下地体１０の上側がカバー上板３１で覆われ、下地体１０の外側がカバー側板３２で覆われ、下地体１０の内側上部や下地体１０・１０相互の離間箇所で緑化エリアの上面より高い部分はカバー３０の垂下片３３で覆われると共に、カバー側板３２の下端と敷設面３００との間に隙間が形成され、下地体１０・１０の離間箇所の隙間５２が排水路として機能する。また、下地体１０の中板１５と両側の側板１２・１２とカバー上板３１で囲まれた矩形の空間５４に給水管５３が配設される。その後は、後述の如く必要に応じて出隅や入隅を処理して仕切構造を完成する（図１９、図２０参照）。
上記第２実施例の仕切構造は、仕切構造の矩形空間に配管或いは配線を敷設し、更に、敷設した配管或いは配線を下地体１０・１０相互間の離間箇所から緑化エリア内に容易に導入することができる。また、下地体１０やカバー３０など仕切構造を構成する部材に緑化エリア内へ給水管５３を導入するための穴や凹部等を開ける加工工程を不要にすることができ、更に、複雑な成形や加工を要しない部材で構成することができることから、コスト削減を図ることができる。また、緑化エリア内への給水管の導入箇所は、施工現場に合わせて任意に設定することが可能であり、施工の自由度が高い。また、カバー３０に溝３５、３４等を形成することにより、美観を高めることができると共に、熱拡散性を高め、給水管５３が配設されている空間内の温度上昇を抑制することができる。また、補強リブ１６や補強リブ３８等による複数の中空部１７、３９を有する補強構造を設けることにより、重量を抑制しつつ、強度を高めることができる。その他、第１実施例と同様の効果を奏する。
【実施例３】
【００２６】
次に、第３実施例の緑化設備の仕切構造について、第１、第２実施例と異なる箇所の詳細を説明する（図１３〜図１９参照）。
第３実施例の仕切構造が設けられる緑化エリア、及び緑化エリアを構成する植栽コンテナ１００と貯水槽トレー２００は、図１３に示すように、第２実施例と同一である。そして、第３実施例の仕切構造或いは仕切部材は、図１３及び図１５〜図１９に示すように、列設する下地体１０を並列配置し、外側列の複数の下地体１０にカバー３０（第１カバー）を架橋載置し、内側列の複数の下地体１０に第２カバー３０ａを架橋載置して構成する。第３実施例の仕切構造或いは仕切部材に於いて、用いられる下地体１０は第２実施例と同一であり（図１３参照）、また、カバー３０（第１カバー）は第２実施例のカバー３０と同一であり、また、第２カバー３０ａは、図１４に示すように、第２実施例のカバー３０の側板３２に代え、上板３１の外側端縁に内側と同様の垂下片３３が形成された正面視略コ字形であり、他の構成は正面視略Ｌ字形のカバー３０（第１カバー）と同一である。
【００２７】
上記仕切構造或いは仕切部材を緑化エリアに設ける場合、図１５に示すように、下地体１０の長手方向を緑化エリアの外周方向に合わせ且つ固定片１４を上にして、緑化エリアの外周に沿って所定間隔離間して下地体１０を一列或いは直列に列設し、内側列の下地体群を構成し、更に、内側列の下地体１０に隣接して同様の形態で外側に下地体１０を並列配置し且つ緑化エリアの外周に沿うように所定間隔離間して列設して、外側列の下地体群を構成する。また、下地体１０・１０を並列配置する際には、外周方向の下地体１０・１０相互間の離間箇所が、緑化エリアの内向へこみ部１１０・１１０相互間に空間に対応するように配置する等、給水管５３を緑化エリアに導入するのに良い箇所を離間箇所とする。
【００２８】
その後、図１６に示すように、上方が開放している下地体１０内に給水管５３を設け、並列配置された下地体１０で形成される経路に所要経路の給水管５３を配設し、所要の下地体１０・１０相互間の離間箇所から給水管５３を緑化エリア内へ導入する。前記給水管５３の配設及び緑化エリア内への導入では、例えば内側列に配設した給水管５３を内側列の下地体１０・１０相互間の離間箇所から緑化エリア内に導入し、外側列に配設した給水管５３を外側列の下地体１０・１０相互間の離間箇所から内側列の下地材１０の経路に導入すること等が可能であり、高い施工性を有する。
【００２９】
その後、図１７及び図１３に示すように、上記と同様に凹溝３６と凸条１９の係合等による位置決めを行い、且つ下地体１０の両側の段差部１３・１３に第２カバー３０ａの両側の垂下片３３・３３を嵌めながら、第２カバー３０ａを内側列の複数の下地体１０に架橋載置し、内側列の下地体１０全体を覆うように第２カバー３０ａを設け、第２カバー３０ａをビス５１でカバー上板３１の固定片１４にビス止めする。更に、第２実施例の下地体１０にカバー３０を架橋載置する場合と同様に、図１８及び図１３に示すように、カバー３０（第１カバー）を外側列の下地体１０に架橋載置し、ビス止めを行う。更に、図１９に示すように、出隅や入隅の箇所において、カバー３０（第１カバー）や第２カバー３０ａを所要角度に現場で切断し、或いは前記箇所に配置されるカバー３０、３０ａの対応部分を予め切断しておき、突き合わせて接着剤で固着する等により連結する（図１９参照）。そして、仕切構造が完成し、美観に優れた緑化設備が完成する（図２０参照）。
外側列の下地体１０にカバー３０（第１カバー）を架橋載置した状態では、給水管５３等を配設可能な矩形空間が構成され、外側列の下地体１０の上側がカバー上板３１で覆われ、外側列の下地体１０の外側がカバー側板３２で覆われ、カバー側板３２の下端と敷設面３００との間に隙間が形成される。また、内側列の下地体１０に第２カバー３０ａを架橋載置した状態では、給水管５３等を配設可能な矩形の空間５４が構成され、内側列の下地体１０の上側がカバー上板３１で覆われ、内側列の下地体１０の内側上部や下地体１０・１０相互の離間箇所で緑化エリアの上面より高い部分は第２カバー３０ａの垂下片３３で覆われる。
上記第３実施例の仕切構造は、第１、第２実施例と同様の効果を得ることができると共に、複数系統の給水管５３を配設する場合に対応することができる。また、内側列の下地体１０で構成される経路に給水管５３を配設し、外側列の下地体１０で構成される経路に電気配線やセンサー線など、配管と配線或いは異種の配線等を適宜区別して配設することが可能であり、多様な状況への適応力に優れると共に、配管や配線の区分配置でメンテナンスの容易性を高めることができる。
【００３０】
以上、本発明の緑化設備の仕切構造の第１〜第３実施例について説明したが、本発明は上記実施例以外に、例えば以下のような拡張或いは変形が可能である。
【００３１】
第２、第３実施例の下地体１０の変形例として、図２１に示すように、下地体１０の内側下端近傍に、底板１１から内方へ突出して上方へ屈曲延設された正面視Ｌ字形或いは鉤形の連係雄部２０ａを長手方向に沿って或いは長手方向の所定箇所に形成すると共に、下地体１０の外側下端近傍に前記連係雄部２０ａが嵌合する形状の連係雌部２０ｂを長手方向に沿って或いは長手方向の所定箇所に形成し、外側の下地体１０の連係雄部２０ａを内側の下地体１０の連係雌部２０ｂに嵌合して連係し、下地体１０を並列配置するようにしてもよい。前記連係雄部２０ａと連係雌部２０ｂのように、並列配置する下地体１０相互を連結する連結部を設けることにより、下地体１０の外周方向への列設や並列配置の施工性を高めることができる。更に、内側列或いは外側列の１つの下地体１０を敷設面３００に接着等で固定するのみで、前記固定した下地体１０に連結された各下地体１０の全てを固定することができ、下地体１０を固定する際の固定作業が容易となる。更に、図２１に示すように、連係雄部２０ａに貯水槽トレーの連係部２０３を係合して連係する等、下地体１０と貯水槽トレー２００を連結する連結部を設けると好適であり、下地体１０と貯水槽トレー２００の連結により、貯水槽トレー２００或いは下地体１０の何れか一つを固定することにより、連結された貯水槽トレー２００や下地体１０の全てを固定することが可能となり、固定作業が容易となる。
【００３２】
また、連結部の構成の別例として、下地体１０に連結部を設ける構成に代え、カバー３０、３０ａに連結部を設ける構成としてもよく、例えば図２２に示すように、カバー３０（第１カバー）、第２カバー３０ａの内側端縁に長手方向に沿って或いは長手方向の所定箇所に下方へ屈曲延設された連係雄部４０ａを形成し、第２カバー３０ａの外側端縁に長手方向に沿って或いは長手方向の所定箇所に断面視略コ字形の連係雌部４０ｂを形成し、凸条１９と凹溝３６の係合で位置決めして内側の下地体１０に第２カバー３０ａを載置し、内側の下地体１０の段差部１３と外側の下地体１０の段差部１３との間に連係雌部４０ｂを配置するようにし、更に、凸条１９と凹溝３６の係合で位置決めし、且つ前記配置した連係雌部４０ｂに連係雄部４０ａを嵌合してカバー３０（第１カバー）と第２カバー３０ａを連係して相互に連結するようにしてもよい。前記構成では、必要に応じて、例えば下地体１０の内側の段差部１３の内方へへこむ段差量を大きくする構成や、或いは下地体１０の両側の段差部１３・１３の内方へへこむ段差量を大きくする構成や、連係雄部４０ａ、連係雌部４０ｂの厚さを薄くする構成等により、連係雄部４０ａと連係雌部４０ｂの嵌合位置や、内側の連係雄部４０ａの内方への突出位置等を適宜調整することが可能である。
【００３３】
また、上記実施例では、一列に列設する下地体１０内に一つ若しくは一系統の給水管５３を配設する例について説明したが、一列に列設する下地体１０内に複数若しくは複数系統の給水管５３を配設することが可能であり、多系統の給水管５３の配設で緑化エリアが広大な場合に適応することができる。
【００３４】
また、下地体１０及びカバー３０、下地体１０及びカバー３０、３０ａを２列に並列配置する場合の内側列の下地体１０及びカバー３０ａと外側列の下地体１０及びカバー３０、下地体１０及びカバー３０等を３列以上の複数列で並列配置する場合の内側列の下地体１０及びカバー３０ａと外側列の下地体１０及びカバー３０と内側列と外側列に挟まれる列の下地体１０及びカバー３０の形状や配置構成は適宜であり、複数列の下地体１０及びカバー３０等の各列について同一構成の下地体１０若しくはカバー３０等、或いは異なる構成の下地体１０若しくはカバー３０等を用いることも可能である。
【００３５】
また、仕切構造或いは仕切部材の外側から給水管５３など配管や配線を仕切構造或いは仕切部材内に導く場合の構成は適宜であり、例えばカバー３０（第１カバー３０）の側板３２、若しくはカバー３０（第１カバー３０）の側板３２及び下地体１０の側板１２に、配管等を導入するための切欠或いは孔を設ける構成とすることが可能であるが、下地体１０・１０相互間の離間箇所の内の一部或いは外側の下地体１０・１０相互間の離間箇所の内の一部について、カバー３０（第１カバー３０）に代え第２カバー３０など側面を覆わないカバーを設け、前記カバーを設けて外側面が覆われていない下地体１０・１０相互間に配管等を導入し、更に仕切構造等の内部へ配管等を導入する構成とすると、配管等の導入が容易となって好適である。
【００３６】
また、下地体３０やカバー３０の更なる変形例として、例えば図２３（ａ）に示すように、正面視コ字形のチャネル部材である下地体１０を開放側を緑化エリア側である内方へ向けて配置し、カバー３０を架橋載置する構成としてもよく、前記構成により、給水管５３を配設する際の融通性が向上する。また、図２３（ｂ）に示すように、正面視コ字形のチャネル部材である下地体１０の開放側が対向するように下地体１０・１０を並列配置し、内側列の下地体１０に第２カバー３０ａを、外側列の下地体１０にカバー３０を架橋載置する構成としてもよく、前記構成により、給水管５３を移設する際の融通性が向上する。また、図２３（ｃ）に示すように、正面視コ字形のチャネル部材である下地体１０の開放側を下方へ向けて配置し、カバー３０を架橋載置する構成としてもよく、前記構成により、給水管５３の配設作業の終了後に下地材１０を敷設することが可能となり、施工性が向上する。また、図２３（ｄ）に示すように、正面視コ字形のチャネル部材である下地体１０の開放側を上向きにして複数の下地体１０を並列配置し、並列配置した下地体１０の全体を覆うように上板３１の幅が広いカバー３０を架橋載置する構成としてもよく、前記構成により、部品点数を削減し、施工工程を効率化することができ、コストダウンを図ることができる。また、図２３（ｅ）に示すように、下地体１０の一方の側板１２を短く形成し、開放側を上向きにし且つ短い側板１２が外側に位置するように配置し、カバー３０を架橋載置する構成としてもよく、前記構成により、材料費を節約することができる。また、図２３（ｆ）に示すように、図２３（ｅ）の下地体１０を用い、短い側板１２・１２を隣接して下地材１０・１０を配列配置し、上板３１が幅広のカバー３０を並列配置した下地体１０の全体を覆うように架橋載置する構成としてもよく、前記構成により、材料費を節約できると共に、給水管５３の移動の融通性を向上することができる。
【００３７】
また、図２４（ａ）に示すように、下地体１０を直方体或いは立方体等のブロック状とし、ブロック状の下地体１０の上面や外側面や内側面に正面視略Ｌ字形のカバー３０を上板３１や外側の側板３２や垂下片３３を面接触しながら、カバー３０を下地体１０に架橋載置する構成とし、下地体１０とカバー３０で給水管５３等が配設可能な空間５４を設けないようにすることも可能であり、前記構成により、ブロック状のコンクリートなど安価な部材を下地体１０として使用することができる。
【００３８】
また、図２４（ｂ）に示すように、直方体等のブロック状の下地体１０の上面や内側面に上板３１や垂下片３３を面接触しながら、上板３１が幅広のカバー３０を下地体１０に架橋載置し、カバー３０の幅と下地体１０の幅の差で、下地体１０の外側面とカバー上板３１とカバー側板３２とで囲まれる空間５４を形成し、下地体１０の外方の空間５４に給水管５３等を配設する構成とすることも可能であり、前記構成により、幅広のカバー３０に対して外側に下地体１０を並列設置することを不要とすることができ、コストダウンを図ることができる。
【００３９】
また、図２４（ｃ）に示すように、下地体１０を上記直方体或いは立方体形状から底面が外側へ突出する正面視略Ｌ字形のブロック状とし、下地体１０の上面や内側面に上板３１や垂下片３３を面接触しながら上板３１が幅広のカバー３０を下地体１０に架橋載置し、下地体１０の外側面とカバー上板３１とカバー側板３２と前記下地体１０の外側突出面で囲まれる空間５４を形成し、空間５４に給水管５３等を配設する構成とすることも可能であり、前記構成により、前記下地体１０の外側突出面をカバー３０の側板３２の下側に位置させ、前記外側突出面で側板３２の下端を支持させ、下地体１０・１０相互間の隙間５２で構成される排水路を確実に確保することができる。
【００４０】
また、図２４（ｄ）に示すように、下地体１０を上記直方体或いは立方体形状から上部が外側へ突出する正面視略逆Ｌ字形のブロック状とし、下地体１０の上面や内側面や前記外側突出部分の外側面に上板３１や垂下片３３や側板３２を面接触しながら、上板３１が幅広のカバー３０を下地体１０に架橋載置し、下地体１０の中央部から下部にかけての外側面と前記外側突出部分の下面とカバー側板３２とで囲まれる空間５４を形成し、空間５４に給水管５３等を配設する構成とすることも可能であり、前記構成により、カバー３０に上方からの加えられる負荷に対する強度や耐久性を向上することができる。
【００４１】
また、図２４（ｅ）に示すように、正面視略コ字形或いは正面視略Ｕ字形の下地体１０を開放側を上方にして配置し、前記下地体１０の内側の側板１２に垂下片３３が面接触しながら、上板３１が幅広のカバー３０を側板１２の上端で支持されるように架橋載置し、底板１１と側板１２・１２相互とカバー上板３１とで囲まれる空間５４と、側板１２と側板３２とカバー上板３１とで囲まれる空間５４とに、給水管５３等を配設する構成とすることも可能であり、前記構成により、少ない下地体１０で配設する給水管５３の本数等を増やすことができる。
【００４２】
また、図２４（ｆ）に示すように、図２４（ｃ）の直方体等の形状に対応する部分を正面視略コ字形の下地体１０を開放側を上方にして配置した形状に代え、下地体１０を正面視略Ｆ字形とし、底板１１と側板１２・１２相互と側板１２の上端で支持されるカバー上板３１とで囲まれる空間５４と、下地体１０の底面の外側突出面と側板１２とカバー上板３１と側板３２とで囲まれる空間５４とに、給水管５３等を配設する構成とすることも可能であり、前記構成により、図２３（ｃ）及び（ｅ）の効果を同時に発揮することができる。
また、図２４（ｇ）に示すように、直方体等のブロック状の下地体１０の上面や外側面に上板３１や側板３２を面接触しながら、上板３１が幅広である正面視略Ｌ字形のカバー３０を下地体１０に架橋載置し、カバー３０の幅と下地体１０の幅の差で、下地体１０の内側面とカバー上板３１と垂下片３３等とで囲まれる空間５４を形成し、下地体１０の内方の空間５４に給水管５３等を配設する構成とすることも可能であり、前記構成により、給水管５３の配設時等の融通性が向上する。
また、図２４（ｈ）に示すように、図２４（ｇ）の直方体等の下地体１０に代えて直方体等の上部から内側へ突出する突出部分を有する下地体１０を用い、正面視略Ｌ字形の下地体１０の前記突出部分の内側面と下地体１０の上面と外側面にカバー３０の垂下片３３と上板３１と側板３２が面接触しながら、上板３１が幅広のカバー３０を下地体１０に架橋載置し、下地体の中央から下部にかけての内側面と前記内側突出部分の下面とで囲まれる空間５４に給水管５３等を配設する構成としてもよく、前記構成により、カバー３０に上方からの加えられる負荷に対する強度や耐久性を向上することができる。
また、図２５（ａ）に示すように、直方体或いは立方体等のブロック状の下地体１０を所定距離離間して並列配置し、内側の下地体１０の内側面に垂下片３３を、内側と外側の下地体１０の上面にカバー上板３１を、外側の下地体１０の外側面に側板３３をそれぞれ面接触して、上板３１が幅広のカバー３０を架橋載置し、内側の下地体１０の外側面と外側の下地体１０の内側面とカバー上板３１とで囲まれる空間５４に給水管５３等を配設する構成としてもよく、直方体等の下地体１０を用いてコストダウンを図ることができる。
また、図２５（ｂ）に示すように、図２５（ａ）の内側下地体１０の上部から外側へ突出する突出部分を有する正面視略Ｌ字形の内側下地体１０と、図２５（ａ）の外側下地体１０の上部から内側へ突出する突出部分を有する正面視略Ｌ字形の外側下地体１０とを用い、内側下地体１０の外側突出部分と外側下地体１０の内側突出部分とを突合して当接しながら、内側と外側の下地体１０・１０を並列配置し、図２５（ａ）と同様にカバー３０を架橋載置し、前記外側突出部分及び内側突出部分と内側下地体１０の中央から下部にかけての外側面と外側下地体１０の中央から下部にかけての内側面とで囲まれる空間５４に給水管５３等を配設する構成としてもよく、前記構成により、カバー３０に上方からの加えられる負荷に対する強度や耐久性を向上することができると共に、コストダウンを図ることができる。
また、図２５（ｃ）に示すように、図２５（ａ）の直方体等の下地体１０を正面視略コ字形の下地体１０を開放側を上方にして配置した形状に代え、垂下片３３を内側の下地体１０の側板１２に、カバー側板３２を内側の下地体１０の側板１２に面接触しながら、且つ下地体１０の側板１２の上端で支持されるように、上板３１が幅広のカバー３０を架橋載置し、内側の下地体１０の底板１１と側板１２・１２とカバー上板３１とで囲まれる空間５４と、内側下地体１０の外側の側板１２と外側下地体１０の内側の側板１２とカバー上板３１とで囲まれる空間５４と、外側の下地体１０の底板１１と側板１２・１２とカバー上板３１とで囲まれる空間５４とに給水管５３等を配設する構成としてもよく、前記構成により、コストダウンを図りつつ給水管５３等の配設空間や配設本数を多く確保することができる。
また、図２５（ｄ）に示すように、正面視略コ字形の下地体１０を開放側が向き合うようにし且つ所定距離離間して並列配置し、内側下地体１０の内側に位置する底板１１に垂下片３３を、内側下地体１０と外側下地体１０の上側に位置する側板１２・１２に上板３１を、外側下地体１０の外側に位置する底板１１に側板３２を面接触して、上板３１が幅広のカバー３０を架橋載置し、内側と外側の下地体１０の底板１１や側板１２やカバー上板３１で囲まれる空間５４に、一若しくは複数系統の給水管５３等を配設する構成としてもよく、前記構成により、例えば適宜必要な系統数の給水管５３を配設することができると共に、空間５４の形状をほぼ確保しつつ給水管５３を移設することができるなど融通性が向上する。
また、仕切構造を形成する緑化エリアは、植栽コンテナを敷設するコンテナタイプ以外にも適宜であり、例えば貯水排水層を形成し、その上に客土を盛って植栽を施す所謂客土タイプの緑化エリアや、或いは育成材を固化したブロック状の植栽ブロックを敷設面に複数敷設し、植栽ブロックをに植栽を施して形成する緑化エリア、或いは椰子などの繊維を固化して形成したマットに植栽を施した植栽マットを、敷設面に複数敷設して形成する緑化エリア等とすることが可能である。更に、コンテナタイプの緑化エリアとする場合に、植栽コンテナ１００或いは貯水槽トレー２００を設ける場合の貯水槽トレー２００の構成は適宜である。
また、仕切構造或いは仕切部材内に配設されるものは給水管５３以外にも適宜であり、例えば緑化エリア内に設けられる照明器具等の電源線、貯水槽トレー２００に設ける水分センサー等のセンサー線、排水管、通気性を高めるべく空気を緑化エリア内に導入する等の空気管などを配設することが可能であり、又、これらを適宜組み合わせて配設することが可能である。更に、同種或いは異種の複数の配管或いは配線等を設ける場合、配管や配線毎に或いはその種別毎に、配設空間を下地体１０の側板１２など下地体１０やカバー３０の仕切可能な仕切部で仕切ってもよい。
また、下地体１０を緑化エリアの外周方向へ列設する際の間隔は適宜であるが、カバー３０の強度等に配慮しつつ、可能な限り距離を置いて配設した方が施工性やコストダウンになるので良好である。更に、前記間隔は略等間隔とする以外に、強度が必要な部分のみに密な間隔で配設すること等が可能である。
また、下地体１０とカバー３０をビス止めは適宜箇所で行うことが可能であり、上記実施例の上側でビス止めする以外に、例えば下地体１０の外側に位置する側板１２とカバー３０の側板３２を側面位置でビス止めする等、側面位置でビス止めしてもよい。更に、カバー３０に凸部若しくは凹部を設け、下地体１０の前記凸部若しくは凹部に対応する位置に凹部若しくは凸部を設け、カバー３０の凸部若しくは凹部と下地体１０の凹部若しくは凸部とを嵌合する等、カバー３０と下地体１０を係合する構成としてもよい。カバー３０と下地体１０を係着する構成により、より施工性が向上する。尚、下地体１０とカバー３０を固着しない構成とすることも可能である。
また、本発明の仕切構造或いは仕切部材は、必ずしも緑化エリアの外周全てに設ける必要はなく、緑化エリアの外周の一部に使用する場合も本発明に含まれる。
【産業上の利用可能性】
【００４３】
本発明は、例えば屋上、ベランダ、折板屋根等に設置する緑化設備に利用することができる。
【図面の簡単な説明】
【００４４】
【図１】第１実施例の緑化設備の仕切構造を示す縦断面図。
【図２】（ａ）は第１実施例の緑化設備の仕切構造に於ける下地体を示す平面図、（ｂ）は同図（ａ）の下地体の斜視図、（ｃ）は同図（ａ）の下地体の正面図、（ｄ）は同図（ａ）の下地体の側面図、（ｅ）は同図（ａ）の下地体の底面図。
【図３】（ａ）は第１実施例の緑化設備の仕切構造に於けるカバーを示す平面図、（ｂ）は同図（ａ）のカバーの斜視図、（ｃ）は同図（ａ）のカバーの正面図、（ｄ）は同図（ａ）のカバーの左側面図、（ｅ）は同図（ａ）のカバーの底面図、（ｆ）は同図（ａ）のカバーの右側面図。
【図４】第１実施例に於ける下地体を緑化エリアの外周縁に沿って敷設した状態を示す平面図。
【図５】図４の敷設した下地体にカバーを載置した状態を示す平面図。
【図６】第１実施例の緑化設備の仕切構造に於ける排水路を説明する説明図。
【図７】第２実施例の緑化設備の仕切構造を示す縦断面図。
【図８】（ａ）は第２実施例の緑化設備の仕切構造に於ける下地体を示す平面図、（ｂ）は同図（ａ）の下地体の斜視図、（ｃ）は同図（ａ）の下地体の正面図、（ｄ）は同図（ａ）の下地体の側面図、（ｅ）は同図（ａ）の下地体の底面図。
【図９】（ａ）は第２実施例の緑化設備の仕切構造に於けるカバーを示す平面図、（ｂ）は同図（ａ）のカバーの斜視図、（ｃ）は同図（ａ）のカバーの正面図、（ｄ）は同図（ａ）のカバーの左側面図、（ｅ）は同図（ａ）のカバーの底面図、（ｆ）は同図（ａ）のカバーの右側面図。
【図１０】第２実施例に於ける下地体を緑化エリアの外周縁に沿って敷設した状態を示す平面図。
【図１１】図１０の敷設した下地体に給水管を配設した状態を示す平面図。
【図１２】図１１の敷設した下地体にカバーを載置した状態を示す平面図。
【図１３】第３実施例の緑化設備の仕切構造を示す縦断面図。
【図１４】（ａ）は第３実施例の緑化設備の仕切構造に於ける第２カバーを示す平面図、（ｂ）は同図（ａ）の第２カバーの斜視図、（ｃ）は同図（ａ）の第２カバーの正面図、（ｄ）は同図（ａ）の第２カバーの側面図、（ｅ）は同図（ａ）の第２カバーの底面図。
【図１５】第３実施例に於ける下地体を緑化エリアの外周に並列して敷設した状態を示す平面図。
【図１６】図１５の並列して敷設した下地体に給水管を配設した状態を示す平面図。
【図１７】図１６の内周の下地体にカバーを載置した状態を示す平面図。
【図１８】図１６の内周及び外周の下地体にカバーを載置した状態を示す平面図。
【図１９】（ａ）はカバーが突合する出隅箇所の部分平面図、（ｂ）はカバーが突合する入隅箇所の部分平面図。
【図２０】第３実施例の仕切構造を設けた緑化設備を示す平面図。
【図２１】並列配置された下地体相互を連係する変形例の仕切構造を示す縦断面図。
【図２２】並列配置された第１カバーと第２カバー相互を連係する変形例の仕切構造を示す縦断面図。
【図２３】（ａ）〜（ｆ）は下地体とカバーの変形例の概略を示す正面図。
【図２４】（ａ）〜（ｈ）は下地体とカバーの別の変形例の概略を示す正面図。
【図２５】（ａ）〜（ｄ）は下地体とカバーの更なる別の変形例の概略を示す正面図。
【符号の説明】
【００４５】
１０  下地体
１１  底板
１２  側板
１３  段差部
１４  固定片
１５  中板
１８  溝
１９  凸条
２０ａ、４０ａ  連係雄部
２０ｂ、４０ｂ  連係雌部
３０  カバー（第１カバー）
３０ａ  第２カバー
３１  上板
３２  側板
３３  垂下片
３４、３５  溝
３６  凹溝
５１  ビス
５２  隙間
５３  給水管
５４  空間
１００  植栽コンテナ
２００  貯水槽トレー
３００  敷設面
【図１】
2007151445.tif 000003
【図２】
2007151445.tif 000004
【図３】
2007151445.tif 000005
【図４】
2007151445.tif 000006
【図５】
2007151445.tif 000007
【図６】
2007151445.tif 000008
【図７】
2007151445.tif 000009
【図８】
2007151445.tif 000010
【図９】
2007151445.tif 000011
【図１０】
2007151445.tif 000012
【図１１】
2007151445.tif 000013
【図１２】
2007151445.tif 000014
【図１３】
2007151445.tif 000015
【図１４】
2007151445.tif 000016
【図１５】
2007151445.tif 000017
【図１６】
2007151445.tif 000018
【図１７】
2007151445.tif 000019
【図１８】
2007151445.tif 000020
【図１９】
2007151445.tif 000021
【図２０】
2007151445.tif 000022
【図２１】
2007151445.tif 000023
【図２２】
2007151445.tif 000024
【図２３】
2007151445.tif 000025
【図２４】
2007151445.tif 000026
【図２５】
2007151445.tif 000027